(57)【要約】【課題】パソコン等のクライアント端末利用者に購買意欲を起こさせるために、確実に商品宣伝広告情報を視聴させるようにした広告提供システムを提供する。【解決手段】広告提供サーバ１は、クライアント端末２の表示画面上に、動画または静止画の広告画面Ａを表示させ、その一定時間後に、クイズ問題と、そのクイズの正解またはヒントを含んだ情報を提供する情報サイト３に接続可能としたリンク表示情報Ｂ５とを含んで構成されたクイズ提供画面Ｂを、自動的に切り換え表示し、クライアント端末２から解答を返信させる。【選択図】図１
2005055977.tif 000002
【特許請求の範囲】
【請求項１】
通信ネットワークを介して、広告提供サーバから複数のクライアント端末に対して、懸賞クイズ付き広告を提示させる広告提供システムであって、
広告提供サーバは、
クライアント端末の表示画面上に、動画または静止画の広告画面を表示させ、
その一定時間後に、クイズ問題と、そのクイズの正解またはヒントを含んだ情報を提供する情報サイトに接続可能としたリンク表示情報とを含んで構成されたクイズ提供画面を、自動的に切り換え表示し、
クライアント端末から解答を返信させるようにした、広告提供システム。
【請求項２】
請求項１において、
上記広告画面表示、クイズ提供画面表示、クライアントによる解答で構成される一連の処理を、複数のクイズについて繰り返すようにした、広告提供システム。
【請求項３】
請求項２において、
上記クイズの懸賞は、クイズに参加することによって広告がクライアント端末に対して提供されるごとに増大し、最初に全問正解に到達した１人の参加者に対して、そのときの額が支払われることを条件とする、広告提供システム。
【請求項４】
請求項１〜３のいずれかにおいて、
上記広告画面で提供する広告は、上記情報サイトの運営者に関するものであることを特徴とする、広告提供システム。
【請求項５】
通信ネットワークを介して、広告提供サーバから複数のクライアント端末に対して、懸賞クイズ付き広告を提示させる広告提供システムであって、
広告提供サーバは、
クライアント端末の表示画面上に、動画または静止画の広告画面を表示させ、
その一定時間後に、クイズ問題と、そのクイズの正解またはヒントを含んだ情報を提供する情報サイトに時限接続を可能としたリンク未表示情報とを含んで構成されたクイズ提供画面に、自動的に切り換え表示させ、
クライアント端末から解答を返信させるようにした、広告提供システム。
【請求項６】
請求項１〜５のいずれかの広告提供システムを利用したネットワーク広告方法。
【発明の詳細な説明】
【０００１】
【発明の属する技術分野】
本発明は、通信ネットワークを利用して、クイズの出題を組み合わせて広告を提供する方法に関する。
【０００２】
【従来の技術】
近年、インターネットの普及により、自社の電子商取引サイトでの商品案内や、情報サイトでのバナーによる商品広告が、一般に行われる宣伝・広告方法として定着してきている。
【０００３】
ところが、前者の方法では情報が過多のため、利用者は購買までは至らない場合が多く、また、後者ではバナーに見向きもしないことが多く、クリックしたとしても、広告主の電子商取引サイトなどに接続されるため、結局、前者と同様の結果になることが多かった。
【０００４】
このような問題を解決するために各種の工夫がなされており、たとえば、特許文献１に記載されている広告方法は、動画像広告に連続して、その広告の内容にもとづき正解が導かれるクイズを出題して、広告内容の認知を高めようとする方法である。
【０００５】
【特許文献１】
特開２０００−１８３５９０号公報
【０００６】
【発明が解決しようとする課題】
しかしながら、クイズを伴ったこの種の広告方法は、動画像広告つまりテレビコマーシャルと同じであるため、クイズのヒントが隠されてはいるものの、一過性のものであるため、商品そのものに対する購買意欲を高めるものとはなり得ない。
【０００７】
本発明はこのような事情を考慮して提案されたもので、その目的は、パソコン等のクライアント端末利用者に購買意欲を起こさせるために、確実に商品宣伝広告情報を視聴させるようにした広告提供システムおよびネットワーク広告方法を提供することにある。
【０００８】
【課題を解決するための手段】
上記目的を達成するために、請求項１に記載の広告提供システムは、通信ネットワークを利用して、広告提供サーバから複数のクライアント端末に対して、懸賞クイズ付き広告を提示させるシステムであって、次の構成となっている。
【０００９】
すなわち、広告提供サーバは、クライアント端末の表示画面上に、動画または静止画の広告画面を表示させ、その一定時間後に、クイズ問題と、そのクイズの正解またはヒントを含んだ情報を提供する情報サイトに接続可能としたリンク表示情報とを含んで構成されたクイズ提供画面を、自動的に切り換え表示し、クライアント端末から解答を返信させるようにしている。
【００１０】
すなわち、クイズは問題とその問題に関する情報（ヒントまたは正解）で構成されることとなるので、テレビ放映で行われる一方的なＣＭ放送と異なり、最初に表示させる動画等の広告画面の広告主と、この情報サイトの運営企業とが同じであれば、クイズを挟んで２重に同種商品の広告、宣伝ができ、利用者に確実に広告宣伝情報を見せつけることができる。
【００１１】
また、クイズ提供画面は単なるクイズ問題のみを表示させるものではなく、容易にクイズのヒントとなる情報サイトに接続できるので、クイズ参加者は、難問であってもあきらめることなくクイズを継続することができる。
【００１２】
請求項２では、広告画面表示、クイズ提供画面表示、クライアントによる解答で構成される一連の処理を、複数のクイズについて繰り返すようにしたことを特徴としている。
【００１３】
請求項３では、クイズの懸賞が、クイズに参加することによって広告がクライアント端末に対して提供されるごとに増大し、最初に全問正解に到達した１人の参加者に対して、そのときの額が支払われることを条件とすることを特徴としている。
【００１４】
請求項４では、広告画面で提供する広告は、情報サイトの運営者に関するものであることを特徴とする。
【００１５】
請求項５に記載の広告提供システムは、通信ネットワークを介して、広告提供サーバから複数のクライアント端末に対して、懸賞クイズ付き広告を提示させるシステムであって、次の特徴を有している。
【００１６】
すなわち、広告提供サーバは、クライアント端末の表示画面上に、動画または静止画の広告画面を表示させ、その一定時間後に、クイズ問題と、そのクイズの正解またはヒントを含んだ情報を提供する情報サイトに時限接続を可能としたリンク未表示情報とを含んで構成されたクイズ提供画面に、自動的に切り換え表示させ、クライアント端末から解答を返信させるようにしている。
【００１７】
つまり、情報サイトへは一定時間後に自動接続されるようになっており、そのため、クイズ参加者に対して確実に、商品案内や企業情報を視聴させることができる。
【００１８】
請求項６に記載のネットワーク広告方法は、上記いずれかの広告提供システムを利用したものである。
【００１９】
【発明の実施の形態】
以下に、本発明の実施の形態について図面とともに説明する。
【００２０】
図１は、本発明の広告方法を実現するための広告提供システムのシステム構成図である。
【００２１】
このシステムは、クイズと広告を提供する広告提供サーバ１と、クイズに参加するためのパソコン等のクライアント端末２、２・・・と、広告主サイト３とが通信ネットワークＬに接続されて構成されている。
【００２２】
広告提供サーバ１は、クライアント端末２に提供するための動画等の広告とクイズとをデータベース１ａに保存しておき、クライアント端末２がサーバ１をアクセスしたときに、それらを順次送信する。一方、クライアント端末２側では、送られてきた動画または静止画広告をユーザが見た後、クイズ画面でクイズに解答して、その解答情報を広告提供サーバ１に返信する。
【００２３】
広告主サイト３は、通信ネットワークを介して各種の案内情報をＷｅｂページで提供するようにしており、上記のクイズを提供したときに、クライアント端末２に表示されたクイズ提供画面から、このＷｅｂページに接続できるようになっている。
【００２４】
案内情報のＷｅｂページ３ａは、たとえば会社案内、商品カタログ情報、電子商取引などのページで構成されている。これらのページ情報３ａは広告主サイト３から提供するものに限定されず、広告提供サーバ１が動画やクイズとともに保存しておいてもよい。
【００２５】
クライアント端末２では、ブラウザ等の通信表示プログラムを利用して、広告提供サーバ１の広告画面や、広告主サイト３の情報画面を受信して表示できるように構成されている。
【００２６】
次に、広告提供サーバ１による懸賞クイズ付き広告の提供方法について、図２のフローチャートを用いて説明する。
【００２７】
図２の例は、動画ＣＭとクイズを１対１に対応させたものを１ラウンドとした形式のもので、動画ＣＭを１５秒間提供した後（１０１）、クイズ提供画面に切り換え、制限時間５分のクイズ問題を提供し（１０２）、正解であれば次のラウンドに進み（１０３）、不正解であれば、その時点で終了する（１０３）。５０問すべてに正解すれば（１０４〜１０９）、画面を切り換えて、クイズ参加者に住所や氏名、電話番号などを入力させるようにして、賞金配当手続をさせる（１１０）。
【００２８】
図３は、広告画面の一例を示した画像例である。
【００２９】
（ａ）は自動車の１５秒間の動画ＣＭであり、（ｂ）は自動車の静止画広告で、仕様等が表示されている特定車種のカタログ画像を示している。静止画の場合も１５秒間表示されるが、その画像から他の画面にリンクできるようにしてもよい。
【００３０】
また、図４、５は、クイズ提供画面の一例を示した画面例である。
【００３１】
クイズ提供画面Ｂは、現在の賞金額Ｂ１、出題されるクイズ問題Ｂ２、解答選択肢Ｂ３、決定ボタンＢ４、特定の情報サイトに接続させるためのバナーなどのリンク表示情報Ｂ５を含んで構成される。なお、情報サイトは広告画面Ａで広告提供している商品の企業の広告主サイト３や、その他の情報サイトで構成される。
【００３２】
図４の例では、クイズの問題が「○○○自動車株式会社の本社所在地は？」という内容であり、その解答を４択で答えさせる形式にしており、正解を解答し送信すれば、次のラウンドに進むことができる。図５の例は、択一方式ではなく、直接解答を入力させるような形式がとられたものである。
【００３３】
これらのクイズの正解またはヒントは、その画面中のリンク表示情報Ｂ５をクリックさせて接続した情報サイト３から提供するＷｅｂページの情報の中に、必ず含まれている。
【００３４】
図６は、○○○自動車株式会社の情報サイト３が通信ネットワークＬを介して提供するＷｅｂページＣの例である。（ａ）はホームページ（トップページ）であり、そのページの会社案内Ｃ１をクリックすると、○○○自動車株式会社の本社、支店の所在地や地図などを含んだ（ｂ）の企業情報ページが表示される。また、その他のページ（不図示）として、全車種のラインナップ表示画面やオンライン見積りページ、カタログ請求ページなどがある。
【００３５】
このＷｅｂページＣは、クイズ提供画面Ｂから表示を切り換えるようにしてもよいし、クイズ提供画面Ｂを表示したまま、他のウィンドウ画面で表示するようにしてもよい。
【００３６】
クイズ参加者は、このＷｅｂページＣを表示させて、各ページを見ながらクイズの正解やヒントを探していけば、ほぼ確実にクイズの正解を導き出すことができる。そして、クイズ参加者は制限時間の間にヒントや正解を探し出せれば、解答を返信して次のクイズに進むことができる。クイズ提供画面ＢからＷｅｂページＣに画面切り換えを行う場合には、正解を導き出した後、より早くクイズを継続できるようにするために、クイズ提供画面Ｂにすぐに戻ることができるボタンを設けてもよい。
【００３７】
このように、クイズが、問題とその問題に関する情報（ヒントまたは正解）で構成されるようにしているので、最初に表示させる動画等の広告画面Ａの広告主と、このＷｅｂページＣの運営企業とを同一のものにすれば、クイズを挟んで２重に同種商品の広告、宣伝ができ、利用者に確実に広告宣伝情報を見せることができる。
【００３８】
上記動画等の広告画面はテレビ放映におけるＣＭと同等のもので、クイズ参加者にとって一方的なものであるが、クイズを挟んで２重に視聴させることで、わずか１５秒の広告画面も一過性のものではなくなり、有効な販売促進のための画像として蘇る。
【００３９】
また、クイズ参加者にとっても、クイズのヒントを含んだ情報サイト３に容易に接続できるので、途中であきらめることなくクイズを継続することができる。
【００４０】
特に、クイズを難問にすれば、参加者はＷｅｂページＣ内のより多くのページの中からヒントとなる情報を探し出そうとするため、商品案内等の宣伝情報は自ずと参加者の目に入る。また、クイズ参加者がページ内を寄り道する時間が長くなり、多くのページを参照することによって購買意欲が増大してゆけば、その場で商品を注文するなどの直接的な商品販売の増加につながる。
【００４１】
なお、情報サイト３は、まったく別の運営企業によるものであってもよい。その場合でも、２企業がクイズを通して関連付けられるような問題を設定すれば、それだけでタイアップ関係が形成でき、企業どうしの良好な関係を築くこともできる。
【００４２】
また、情報サイト３への接続は、解答が返信されていないことを条件に、クイズ提供画面に切り換わってから一定時間後に、強制的に切り換えるようにしてもよい。確実にＷｅｂページを参照させるためには、きわめて効果的である。さらに、返信の有無に関係なく、強制リンクしてもよい。
【００４３】
さらにまた、リンク表示情報などを表示させず、一定時間後に自動リンクできるようにしたリンク未表示情報を、クイズ提供画面プログラムに仕込んでおいてもよい。その場合クイズ提供画面には、「３０秒後に自動的に画面を切り換えます」というメッセージを、クイズ問題とともに表示させればよい。
【００４４】
図７は、クイズ出題形式の他例を示す図である。
【００４５】
この例は、１ラウンド中に１商品（１企業）のＣＭと、それに関連するクイズと、ＣＭとは無関係のクイズとを含み、これを５０ラウンド実施するようにしたものである。広告よりもむしろクイズを重視した形態であり、インターネットクイズ番組として、より多くの参加者を募ることができる。
【００４６】
次に、懸賞金の課金方法について、図８を参照しながら説明する。
【００４７】
全クイズが５０ラウンド（Ｒ）で構成され、１ラウンドに１広告とし、１広告を提供するごとに、１広告の放映に相当する広告料の一部（たとえば１円）をクイズ懸賞金に充当する場合を想定する。なお説明をわかりやすくするため、参加者は同じスピードで解答するものと仮定する。
【００４８】
最初に参加者＃１がクイズに参加する。そのとき、つまり１Ｒに入ったとき（図中ａ）には懸賞金は１円が設定される。次に、参加者＃２が参加したとき（ｂ）には、すでに参加者＃１が５Ｒ目に到達しているから、懸賞金は５＋１＝６円となる。同様に、参加者＃３が参加したとき（ｃ）には９円、参加者＃４が参加したとき（ｄ）には１５円となる。
【００４９】
その後、参加者＃１が３０Ｒのクイズで失格し、その後、参加者＃２が全問正解した場合、そのとき（ｅ）の懸賞金は、各参加者に対して提供した広告の数によって算出される。すなわち、
参加者＃１に対する課金・・・３０円
参加者＃２に対する課金・・・５０円
参加者＃３に対する課金・・・４３円
参加者＃４に対する課金・・・３８円
したがって、懸賞金はこれらを合計して１６１円となる。
【００５０】
そして、その時点で懸賞金は初期化され、参加者＃３、参加者＃４がそれぞれ、次のクイズである４４Ｒ、３９Ｒに進んだ時点で、１円、２円となり、その後、参加者＃ｎが参加したときには３円となる。
【００５１】
なお、図７の例のように、１ラウンドに２つの広告が含まれる場合は、それぞれの広告が表示されるごとに懸賞金が加算される。
【００５２】
以上のように、広告が表示されるごとに懸賞金が増大してゆくので、つまり提供される広告の絶対数によって懸賞金が決まるので、参加者が多くかつ難問であれば、容易に１０万円にも１００万円にも膨れ上がり、参加者にとっては魅力のあるクイズとなる。また、広告主にとってもきわめて有効な広告となりうる。
【００５３】
なお、懸賞金は広告提供ごとに増大するのではなく、利用者が参加するごとに増大するような形式にしてもよい。
【００５４】
上記の形態ではクイズに制限時間を設けているが、無制限にしてもよい。また、正解した後に自ら中断できるようにし、その後、中断したところから再開できるようにしてもよい。
【００５５】
【発明の効果】
以上の説明からも理解できるように、請求項１に記載の広告提供システムは、クイズの問題とその問題に関する情報（ヒントまたは正解）で構成するようにしているので、クイズ参加者にとって、接続した情報サイトから容易にクイズのヒントや正解を抽出できるので、あきらめることなくクイズを継続することができる。
【００５６】
また、最初に表示させる動画等の広告画面と、この情報サイトで提供する情報とを関連付けるようにすれば、テレビ放映で行われる一時的なＣＭ放送と異なり、クイズを挟んで２重に広告、宣伝ができ、利用者に確実に広告宣伝情報を視聴させることができる。
【００５７】
特に、クイズを難問にすれば、参加者はＷｅｂページ内のより多くのページの中からヒントとなる情報を探し出そうとするため、商品案内等の宣伝情報は自ずと参加者の目に入る。また、クイズ参加者がページ内を寄り道する時間が長くなり、徐々に購買意欲が増大してゆけば、その場で商品を注文するなどの直接的な商品販売の増加につながる。
【００５８】
請求項２では、広告画面表示、クイズ提供画面表示、クライアントによる解答で構成される一連の処理を、複数のクイズについて繰り返すようにしているので、参加者に対して複数の広告を提示することができ、懸賞金も増大するため、参加者にとって魅力のあるクイズサイトとなる。
【００５９】
請求項３では、クイズに参加することによって広告がクライアント端末に対して提供されるごとに懸賞が増大し、最初に全問正解に到達した１人の参加者に対して、そのときの額が支払われることを条件とするので、参加者にとっては魅力のあるクイズ番組となり、広告主にとっても有効な広告となりうる。
【００６０】
請求項４では、広告画面で提供する広告は情報サイトの運営者に関するものであるため、クイズを挟んで２重に同種商品の広告、宣伝ができ、利用者に確実に広告宣伝情報を参照させることができる。
【００６１】
請求項５では、クイズ提供画面にリンク表示情報を表示させずに、強制的に情報サイトに接続するようにしているため、クイズ参加者に対して確実に企業情報等の宣伝情報を見せることができる。
【００６２】
請求項６に記載のネットワーク広告方法も、上記と同様の効果を上げることができる。
【図面の簡単な説明】
【図１】本発明の広告提供システムのシステム構成図である。
【図２】懸賞クイズ付き広告提供手順の一例を示すフローチャートである。
【図３】広告画面の一例を示した画像例である。（ａ）は動画、（ｂ）は静止画の例を示した図である。
【図４】クイズ提供画面の一例を示した画面例である。
【図５】クイズ提供画面の一例を示した画面例である。
【図６】クイズ提供画面からリンクできるようにした情報サイトのＷｅｂページの画面例である。
【図７】クイズ出題形式の他例を示す図である。
【図８】懸賞金の課金方法を説明するための図である。
【符号の説明】
１・・・広告提供サーバ
１ａ・・・ＣＭ、クイズ等のデータベース
２・・・クライアント端末
３・・・情報サイト（広告主サイト）
３ａ・・・各種案内情報
Ｌ・・・通信ネットワーク
Ａ・・・広告画面
Ｂ・・・クイズ提供画面
Ｃ・・・各種案内情報を表示させたＷｅｂページ画面
【図１】
2005055977.tif 000003
【図２】
2005055977.tif 000004
【図３】
2005055977.tif 000005
【図４】
2005055977.tif 000006
【図５】
2005055977.tif 000007
【図６】
2005055977.tif 000008
【図７】
2005055977.tif 000009
【図８】
2005055977.tif 000010